【手続補正書】
【提出日】平成17年4月11日(2005.4.11)
【手続補正１】
【補正対象書類名】明細書
【補正対象項目名】特許請求の範囲
【補正方法】変更
【補正の内容】
【特許請求の範囲】
【請求項１】
装置本体のキースイッチ部に表面側または裏面側のいずれかの面を上に向けて装着することにより、装置のキー入力を行うことのできるリバーシブルキーボードであって、前記キースイッチ部を押し下げするキートップ部と、このキートップ部を収納保持する開口部を有するキーキャビネットとからなり、前記開口部は、キーキャビネットの表面側及び裏面側に貫通して形成されており、この開口部に、表面側に突出する表面側キートップ部と裏面側に突出する裏面側キートップ部とが上下動可能に収納保持された構造において、表面側キートップ部と裏面側キートップ部の数が異なることを特徴とするリバーシブルキーボード。
【請求項２】
装置本体のキースイッチ部に表面側または裏面側のいずれかの面を上に向けて装着することにより、装置のキー入力を行うことのできるリバーシブルキーボードであって、前記キースイッチ部を押し下げするキートップ部と、このキートップ部を収納保持する開口部を有するキーキャビネットとからなり、前記開口部は、キーキャビネットの表面側及び裏面側に貫通して形成されており、この開口部に、表面側に突出する表面側キートップ部と裏面側に突出する裏面側キートップ部とが上下動可能に収納保持された構造において、前記表面側キートップ部の突出部と前記裏面側キートップ部の突出部とをずらせて設けることを特徴とするリバーシブルキーボード。
【請求項３】
前記表面側キートップ部と裏面側キートップ部とが一体的に形成されていることを特徴とする請求項１または請求項２に記載のリバーシブルキーボード。
【請求項４】
前記表面側キートップ部と裏面側キートップ部とが個別に形成されていることを特徴とする請求項１または請求項２に記載のリバーシブルキーボード。
【請求項５】
前記表面側キートップ部と裏面側キートップ部とが互いに嵌め合わせることによって一体に連結されていることを特徴とする請求項４に記載のリバーシブルキーボード。
【請求項６】
装置本体のキースイッチ部に表面側または裏面側のいずれかの面を上に向けて装着することにより、装置のキー入力を行うことのできるリバーシブルキーボードと、前記キースイッチ部に装着されたリバーシブルキーボードの装着面側方向に応じてキー入力による制御機能を切り替えるキー入力制御手段とを備え、前記キー入力制御手段は、キー入力の途中で前記リバーシブルキーボードの表面と裏面との入れ替えが行われた後のリバーシブルキーボードのキー入力による制御を継続することを特徴とする情報処理装置。
【請求項７】
装置本体のキースイッチ部に表面側または裏面側のいずれかの面を上に向けて装着することにより、装置のキー入力を行うことのできるリバーシブルキーボードと、前記リバーシブルキーボードが、キースイッチ部に着脱可能に設けられた情報処理装置であって、前記キースイッチ部に装着されたリバーシブルキーボードの装着面側方向に応じてキー入力による制御機能を切り替えるキー入力制御手段と、前記リバーシブルキーボードの装着の有無を検出する第１検出手段とを備え、前記キー入力制御手段は、前記第１検出手段によりリバーシブルキーボードがキースイッチ部に装着されていないことを検出している場合には、キー入力の制御を停止することを特徴とする情報処理装置。
【請求項８】
前記リバーシブルキーボードのどちらの面を上に向けて装着されたかを検出する第２検出手段を備え、前記キー入力制御手段は、前記第２検出手段の検出結果に基づき、装着されたリバーシブルキーボードの装着方向に応じてキー入力による制御機能を切り替えることを特徴とする請求項６または請求項７に記載の情報処理装置。
【請求項９】
前記リバーシブルキーボードを２種類以上有するとともに、これらリバーシブルキーボードの種類を検出する第３検出手段を備え、前記キー入力制御手段は、前記第２検出手段及び第３検出手段の検出結果に基づき、装着されたリバーシブルキーボードの種類と装着方向とに応じてキー入力による制御機能を切り替えることを特徴とする請求項８に記載の情報処理装置。
【請求項１０】
前記キースイッチ部に装着されたリバーシブルキーボードをロックするロック機構部が装置本体に設けられているとともに、このロック機構部のロックを解除する解除ボタンが装置本体の外面に露出して設けられていることを特徴とする請求項６または請求項７に記載の情報処理装置。
【請求項１１】
前記リバーシブルキーボードを前記キースイッチ部から押し上げる押上手段が装置本体に設けられているとともに、前記解除ボタンによりロック機構部のロックを解除したとき、前記押上手段によりリバーシブルキーボードがキースイッチ部から押し上げられることを特徴とする請求項１０に記載の情報処理装置。
【手続補正２】
【補正対象書類名】明細書
【補正対象項目名】００１０
【補正方法】変更
【補正の内容】
【００１０】
【課題を解決するための手段】
本発明のリバーシブルキーボードは、装置本体のキースイッチ部に表面側または裏面側のいずれかの面を上に向けて装着することにより、装置のキー入力を行うことのできるリバーシブルキーボードであって、前記キースイッチ部を押し下げするキートップ部と、このキートップ部を収納保持する開口部を有するキーキャビネットとからなり、前記開口部は、キーキャビネットの表面側及び裏面側に貫通して形成されており、この開口部に、表面側に突出する表面側キートップ部と裏面側に突出する裏面側キートップ部とが上下動可能に収納保持された構造において、表面側キートップ部と裏面側キートップ部の数が異なることを特徴とする。また、表面側キートップ部と裏面側キートップ部とは、一体的に形成されていてもよいし、個別に形成されていてもよい。また、個別に形成されている場合であっても、互いに嵌め合わせることによって一体に連結することができるようになっていてもよい。
【手続補正３】
【補正対象書類名】明細書
【補正対象項目名】００１６
【補正方法】変更
【補正の内容】
【００１６】
また、本発明のリバーシブルキーボードは、装置本体のキースイッチ部に表面側または裏面側のいずれかの面を上に向けて装着することにより、装置のキー入力を行うことのできるリバーシブルキーボードであって、前記キースイッチ部を押し下げするキートップ部と、このキートップ部を収納保持する開口部を有するキーキャビネットとからなり、前記開口部は、キーキャビネットの表面側及び裏面側に貫通して形成されており、この開口部に、表面側に突出する表面側キートップ部と裏面側に突出する裏面側キートップ部とが上下動可能に収納保持された構造において、前記表面側キートップ部の突出部と前記裏面側キートップ部の突出部とをずらせて設けることを特徴とする。また、表面側キートップ部と裏面側キートップ部とは、一体的に形成されていてもよいし、個別に形成されていてもよい。また、個別に形成されている場合であっても、互いに嵌め合わせることによって一体に連結することができるようになっていてもよい。
【手続補正４】
【補正対象書類名】明細書
【補正対象項目名】００１８
【補正方法】変更
【補正の内容】
【００１８】
また、本発明の情報処理装置は、装置本体のキースイッチ部に表面側または裏面側のいずれかの面を上に向けて装着することにより、装置のキー入力を行うことのできるリバーシブルキーボードと、前記キースイッチ部に装着されたリバーシブルキーボードの装着面側方向に応じてキー入力による制御機能を切り替えるキー入力制御手段とを備え、前記キー入力制御手段は、キー入力の途中で前記リバーシブルキーボードの表面と裏面との入れ替えが行われた後のリバーシブルキーボードのキー入力による制御を継続することを特徴とする。
【手続補正５】
【補正対象書類名】明細書
【補正対象項目名】００２０
【補正方法】変更
【補正の内容】
【００２０】
また、本発明の情報処理装置は、前記キースイッチ部へのリバーシブルキーボードの装着の有無を検出する第１検出手段をさらに備え、前記キー入力制御手段は、前記第１検出手段によりリバーシブルキーボードがキースイッチ部に装着されていないことを検出している場合には、キー入力の制御を停止するようになっていることを特徴とする。
【手続補正６】
【補正対象書類名】明細書
【補正対象項目名】００２１
【補正方法】変更
【補正の内容】
【００２１】
このような特徴を有する本発明によれば、リバーシブルキーボードがキースイッチ部に装着されていないときには、一切のキー入力の制御を停止するように構成されているので、操作者の意図しない不測の誤ったキー入力を確実に防止することができる。
【手続補正７】
【補正対象書類名】明細書
【補正対象項目名】０１８３
【補正方法】変更
【補正の内容】
【０１８３】
【発明の効果】
本発明のリバーシブルキーボードは、キースイッチ部を押し下げするキートップ部と、このキートップ部を収納保持する開口部を有するキーキャビネットとからなり、開口部は、キーキャビネットの表面側及び裏面側に貫通して形成されており、この開口部に、表面側に突出する表面側キートップ部と裏面側に突出する裏面側キートップ部とが上下動可能に収納保持された構造において、表面側キートップ部と裏面側キートップ部の数が異なるように構成している。これにより、内部に電気的な構成を持たない簡単な構造によって、表裏両面に異なるキー機能を搭載したリバーシブルキーボードを実現することができる。また、構造が簡易であるため、小型軽量化、製造原価の低減を図ることができる。
【手続補正８】
【補正対象書類名】明細書
【補正対象項目名】０１８７
【補正方法】変更
【補正の内容】
【０１８７】
また、本発明のリバーシブルキーボードは、キースイッチ部を押し下げするキートップ部と、このキートップ部を収納保持する開口部を有するキーキャビネットとからなり、開口部は、キーキャビネットの表面側及び裏面側に貫通して形成されており、この開口部に、表面側に突出する表面側キートップ部と裏面側に突出する裏面側キートップ部とが上下動可能に収納保持された構造において、表面側キートップ部の突出部と裏面側キートップ部の突出部とをずらせて設けた構成としている。これにより、リバーシブルキーボードを例えば表面側を上に向けた状態から、裏面側を上に向けた状態に入れ替えたとき、装置本体のキースイッチ部に当接するキートップ部の位置が異なることになる。そのため、キースイッチ部に、表面側キートップ部及び裏面側キートップ部のそれぞれの当接位置に対応してキーパターンを予め形成しておけば、リバーシブルキーボードがどちらの面を上に向けて装着されているのかを検出しなくても、装着されたリバーシブルキーボードに対応したキー入力制御を行うことができる。つまり、リバーシブルキーボードがどちらの面を上に向けて装着されているのかを検出する検出手段が不要となる。
【手続補正９】
【補正対象書類名】明細書
【補正対象項目名】０１８８
【補正方法】変更
【補正の内容】
【０１８８】
また、本発明の情報処理装置は、リバーシブルキーボードと、キースイッチ部に装着されたリバーシブルキーボードの装着面側方向に応じてキー入力による制御機能を切り替えるキー入力制御手段とを備え、キー入力制御手段は、キー入力の途中でリバーシブルキーボードの表面と裏面との入れ替えが行われた後のリバーシブルキーボードのキー入力による制御を継続する構成としている。これにより、リバーシブルキーボードを例えば表面側を上に向けてキースイッチ部に装着した状態でキー入力を行っている途中で、リバーシブルキーボードをキースイッチ部から一旦取り外して表裏を入れ替えても、電源がオン状態であるので、それまでの入力を有効として、その後のキー入力制御を継続することができる。
【手続補正１０】
【補正対象書類名】明細書
【補正対象項目名】０１８９
【補正方法】変更
【補正の内容】
【０１８９】
また、本発明の情報処理装置は、キースイッチ部へのリバーシブルキーボードの装着の有無を検出する第１検出手段をさらに備え、キー入力制御手段は、第１検出手段によりリバーシブルキーボードがキースイッチ部に装着されていないことを検出している場合には、キー入力の制御を停止する構成としている。これにより、リバーシブルキーボードがキースイッチ部に装着されていないときには、一切のキー入力を受け付けないので、操作者の意図しない不測の誤ったキー入力を確実に防止することができる。